(57)【要約】      （修正有）【課題】ペットのリードの先端に備えられているＰフックとペットの首輪若しくは胴輪に備えられているＤ環との連結が、ペットの想定外の動き等によって偶発的に外れることを防止するロッククリップを提供する。【解決手段】ロッククリップＡ１は、Ｐフックの中空軸部側面に突出した突起部の後端と中空軸部２の後端に備えた回転環との間の長さに見合った長さで、中空軸部２の外径に見合った内径に形成したプラスチックの短筒体１３の一側に切れ目１４を設けると共に、該短筒体１３の内周面の前記切れ目１４と略相対する位置に突起１５若しくは突条を突設して備える。【選択図】図１
0003173466.tif 000002
【実用新案登録請求の範囲】
【請求項１】
中空軸部の先端に形成したＣ形フック部の開口部を、中空軸部内に前後スライド自在に嵌挿したピンをばねで前進して閉鎖すると共に、該中空軸部側面のスリットからピンの側部に突設した突起部を外部に突出し、該突起部を押してピンをばねに抗し後退して開口して、ペットの首輪若しくは胴輪のＤ環を開口部から係脱するように備え、また、中空軸部の後端に備えた回転環にリードの先端を取付けるようにした、周知構成のＰフックにおいて、
前記Ｐフックの中空軸部側面に突出した突起部の後端と中空軸部の後端に備えた回転環との間の長さに見合った長さで、中空軸部の外径に見合った内径に形成したプラスチックの短筒体の一側に切れ目を入れると共に、該短筒体の内周面の前記切れ目と略相対する位置に突起若しくは突条を突設して備えたロッククリップであり、
該ロッククリップを、前記短筒体の切れ目をプラスチックの柔軟性で拡開して前記突起部の後端と前記回転環との間に着脱自在に嵌着すると共に、前記スリットに前記突起若しくは突条を嵌合して取付けるように備えたものであり、
もって、前記突起部の押し戻し後退をロックし、開口部の開口を阻止して、開口部から前記Ｄ環が外れてペットのリードが首輪若しくは胴輪から外れることを防止するように備えたことを特徴とする、ペットのリード脱落防止用ロッククリップ。
【請求項２】
前記ロッククリップの前記短筒体の上面に突片を突設して該突片の先端を短筒体先端の前方に突出して突出部を形成し、該突出部の下面に前記スリットに嵌合する突起若しくは突条を突設して備えたことを特徴とする、
請求項１のペットのリード脱落防止用ロッククリップ。
【考案の詳細な説明】
【技術分野】
【０００１】ペットの係留具として使用されているリードの先端に備えられている略Ｐ形の金属製連結具「Ｐフック」とペットの首輪若しくは胴輪に備えられているＤ形の金属環「Ｄ環」との偶発的な連結外れによるペットのリードと首輪若しくは胴輪の脱落を防止するために考案した、ペットのリード脱落防止用ロッククリップに係るものである。
【背景技術】
【０００２】従来、ペット（主として犬）の係留具として使用されているリードの先端には、ペットの首輪若しくは胴輪に備えられているＤ形の金属環（通称「Ｄ環」、以下、本考案においてもＤ環と記す。）に連結する周知構成のナス環が備えられている。
通常、前記リード用のナス環は、中空軸部の先端に形成したＣ形フック部の開口部を、中空軸部内に前後スライド自在に嵌挿したピンをばねで前進して閉鎖すると共に、該中空軸部側面のスリットから外部にピンの側部に突設した突起部を突出し、該突起部を押してピンをばねに抗し後退して開口して、開口部から前記Ｄ環を係脱するように備え、また、中空軸部の後端に備えた回転環にリードの先端を取付けるようにしたものであり、中空軸部とフック部分が略Ｐ形を形成しているため「Ｐフック」と通称されている（以下、本考案においてもＰフックと記載する。）。【０００３】然るところ、飼い主がペットをリードで係留して散歩・運動などしているときや、ペットをリードで適宜の物に係留して買い物をしたり、玄関や庭先等に係留しておいたりしたときに、ペットが不測の特異な行動をした場合などに、首輪若しくは胴輪のＤ環とリードのＰフックなどが絡み合うなどして、それらがＰフックのピンの突起部を押し戻して開口部を開口してしまい、そのため、開口部から前記Ｄ環が外れ、即ち、ペットのリードが首輪若しくは胴輪から外れて、ペットが逃げ出して、騒ぎになったり、迷子になったり、時にはペット・人の事故に発展したりする原因になることが時々発生するため、それを防止するための対策が大きな課題とされてきたものである。
【先行技術文献】
【特許文献】
【０００４】
【特許文献１】特開平１１−３２６１４号公報
【特許文献２】実開平５−３７０５３号公報
【考案の概要】
【考案が解決しようとする課題】
【０００５】前記のように、ペットの想定外の行動で絡み合ったＤ環、リードなどがＰフックのピンの突起部を押し戻して開口部を開口し、開口部から前記Ｄ環が外れ、即ち、ペットのリードが首輪若しくは胴輪から外れることを防止するには、想定外の原因でＰフックのピンの突起部を後退方向に押す力が加わっても、ピン（ばねに抗し）が後退することがないようにすることによって解決できる。
そこで、本考案は、Ｐフックの中空軸部に突出したピンの突起部の後端と中空軸部の後端に備えた回転環との間の中空軸部の周面に、本考案に係るロッククリップを嵌着介在することによって、前記の課題を極めて有効に解決したものである。
【課題を解決するための手段】
【０００６】請求項１の考案は、中空軸部の先端に形成したＣ形フック部の開口部を、中空軸部内に前後スライド自在に嵌挿したピンをばねで前進して閉鎖すると共に、該中空軸部側面のスリットからピンの側部に突設した突起部を外部に突出し、該突起部を押してピンをばねに抗し後退して開口して、ペットの首輪若しくは胴輪のＤ環を開口部から係脱するように備え、また、中空軸部の後端に備えた回転環にリードの先端を取付けるようにした、周知構成のＰフックにおいて、
前記Ｐフックの中空軸部側面に突出した突起部の後端と中空軸部の後端に備えた回転環との間の長さに見合った長さで、中空軸部の外径に見合った内径に形成したプラスチックの短筒体の一側に切れ目を入れると共に、該短筒体の内周面の前記切れ目と略相対する位置に突起若しくは突条を突設して備えたロッククリップであり、
該ロッククリップを、前記短筒体の切れ目をプラスチックの柔軟性で拡開して前記突起部の後端と前記回転環との間に着脱自在に嵌着すると共に、前記スリットに前記突起若しくは突条を嵌合して取付けるように備えたものであり、
もって、前記突起部の押し戻し後退をロックし、開口部の開口を阻止して、開口部から前記Ｄ環が外れてペットのリードが首輪若しくは胴輪から外れることを防止するように備えたことを特徴とする、ペットのリード脱落防止用ロッククリップによって課題を解決したものである。【０００７】請求項２の考案は、前記ロッククリップの前記短筒体の上面に突片を突設して該突片の先端を短筒体先端の前方に突出して突出部を形成し、該突出部の下面に前記スリットに嵌合する突起若しくは突条を突設して備えたことを特徴とする、請求項１のペットのリード脱落防止用ロッククリップによって課題を解決したものである。
【考案の効果】
【０００８】本考案ロッククリップを、短筒体の切れ目をプラスチックの柔軟性で拡開して、ピンの突起部の後端と回転環との間に着脱自在に極めて容易に嵌着することができ、それだけで、突起部の押し戻し後退をロックし開口部の開口を阻止して、開口部から前記Ｄ環が外れてペットのリードが首輪若しくは胴輪から外れることを防止することができる優れた効果がある。【０００９】本考案ロッククリップは、必要に応じて、短筒体の切れ目をプラスチックの柔軟性で拡開して、極めて容易に着脱することができ、極めて便利である。【００１０】中空軸部のスリットの内面側に短筒体の突起若しくは突条を嵌合して嵌着するように備えたので、使用中にロッククリップが回動して、偶発的に、中空軸部のスリットと短筒体の切れ目が一致し、ピンの突起部が押し戻し後退される事を防止し得る。
また、前記と反対に、必要に応じ、手で短筒体を回動して突起若しくは突条をスリットから外してスリットと切れ目を一致させることによって、ピンの突起部を切れ目内に後退して開口部を開口し、ペットのリードが首輪若しくは胴輪を外すことができる便利さがあり、これによって、中空軸部から一々ロッククリップを着脱する必要がなくなる優れた効果がある。【００１１】上記のように、本考案は、極めて簡潔な構成で、極めて簡単安価に提供できるロッククリップによって、ペットの首輪若しくは胴輪のＤ環からリードのＰフックが外れる事故を、極めて効果的に未然に防止することができるものである。
【図面の簡単な説明】
【００１２】
【図１】図１は実施例１のロッククリップの一部切断正面図、平面図、底面図、及び、右側面図である。（実施例１）
【図２】図２は実施例２のロッククリップの正面図、平面図、底面図、及び、右側面図である。（実施例２）
【図３】図３はペットのリードのＰフックとペットの首輪のＤ環を連結した状態の斜視図である。
【図４】図４は図３のＰフックに実施例２のロッククリップを嵌着した状態の斜視図である。（実施例２）
【図５】図５は図４のＢ−Ｂ断面拡大図である。（実施例２）
【考案を実施するための形態】
【００１３】Ｐフックの中空軸部側面に突出した突起部の後端と中空軸部の後端に備えた回転環との間の長さに見合った長さで、中空軸部の外径に見合った内径に形成したプラスチックの短筒体の一側に切れ目を入れると共に、該短筒体の内周面の前記切れ目と略相対する位置に突起若しくは突条を突設して備えたロッククリップである。
【実施例１】
【００１４】図１は、本考案の実施例１のロッククリップの一部切断正面図、平面図、底面図、及び、右側面図である。
符号、Ａ１は実施例１のロッククリップ、１はＰフック２は中空軸部、３はＣ形フック部、４は開口部、５はピン、６はばね、７はスリット、８は突起部、９は首輪、１０は回転環、１１はＤ環、１２はリード、１３は短筒体、１４は切れ目、１５は突起、１６は突片、１７は突出部である。【００１５】実施例１のロッククリップＡ１は、
中空軸部２の先端に形成したＣ形フック部３の開口部４を、中空軸部２内に前後スライド自在に嵌挿したピン５をばね６で前進して閉鎖すると共に、該中空軸部２側面のスリット７からピン５の側部に突設した突起部８を外部に突出し、該突起部８を押してピン５をばね６に抗し後退して開口して、ペットの首輪９若しくは胴輪のＤ環１０を開口部４から係脱するように備え、また、中空軸部２の後端に備えた回転環１１にリード１２の先端を取付けるようにした、周知構成のＰフック１において、【００１６】前記Ｐフック１の中空軸部２側面に突出した突起部８の後端と中空軸部２の後端に備えた回転環１１との間の長さに見合った長さで、中空軸部２の外径に見合った内径に形成したプラスチックの短筒体１３の一側に切れ目１４を設けると共に、該短筒体１３の内周面の前記切れ目１４と略相対する位置に突起１５若しくは突条を突設して備えたロッククリップＡ１であり、【００１７】該ロッククリップＡ１を、前記短筒体１３の切れ目１４をプラスチックの柔軟性で拡開して前記突起部８の後端と前記回転環１１との間に着脱自在に嵌着すると共に、前記スリット７に前記突起１５若しくは突条を嵌合して取付けるように備えたものであり、
もって、前記突起部８の押し戻し後退をロックし、開口部４の開口を阻止して、開口部４から前記Ｄ環１０が外れてペットのリード１２が首輪９若しくは胴輪から外れることを防止するように備えたものである。【００１８】図２、図４、図５は、実施例２のロッククリップの図であり、図２は正面図、平面図、底面図、及び、右側面図、図４は図３のＰフックに実施例２のロッククリップを嵌着した状態の斜視図、図５は図４のＢ−Ｂ断面拡大図である。
符号、Ａ２は実施例２のロッククリップ、１６は突片、１７は突出部である。
実施例２のロッククリップＡ２は、前記ロッククリップＡ１の前記短筒体１３の上面に突片１６を突設して該突片１６の先端を短筒体１３先端の前方に突出して突出部１７を形成し、該突出部１７の下面に前記スリット７に嵌合する突起１５若しくは突条を突設して備えたものである。
【産業上の利用可能性】
【００１９】本考案ロッククリップは、最も一般的なペットである犬、猫に限らず、また、ペットの大小にかかわらず、それらの係留具として使用されているリードの先端に備えられている略Ｐ形の金属製連結具「Ｐフック」とペットの首輪若しくは胴輪に備えられているＤ形の金属環「Ｄ環」との偶発的な連結外れによる、リードと首輪若しくは胴輪の脱落を防止するリード脱落防止用として汎用し得るものである。
【符号の説明】
【００２０】Ａ１  実施例１のロッククリップ
Ａ２  実施例２のロッククリップ
１  Ｐフック
２  中空軸部
３  Ｃ形フック部
４  開口部
５  ピン
６  ばね
７  スリット
８  突起部
９  首輪
１０  Ｄ環
１１  回転環
１２  リード
１３  短筒体
１４  切れ目
１５  突起
１６  突片
１７  突出部
【図１】
0003173466.tif 000003
【図２】
0003173466.tif 000004
【図３】
0003173466.tif 000005
【図４】
0003173466.tif 000006
【図５】
0003173466.tif 000007